(57)【要約】【課題】反射シートを起因とした輝度ムラを抑制する。【解決手段】画像表示装置１０は、下フレーム３００と、反射シート２００とを備えている。下フレームは、矩形状の平坦部３１０と、平坦部の外縁から立ち上がる側壁部３２０とを備えている。側壁部は、第一壁部３２１と、第一壁部に連続する第二壁部３２２とを備えている。反射シートは、平坦部に重畳する本体部２１０と、側壁部に重畳する縁部２２０とを備えている。縁部は、第一壁部及び第二壁部に重畳する第一縁部２２１と、第二壁部に重畳する第二縁部２２２とを備えている。第一縁部は、第一壁部に重畳する主要部２２１１と、主要部に連続した舌部であって、第二壁部に重なる舌部２２３とを備えている。本体部には、舌部の第一側辺２２１３に重畳する第一重畳部２１５が形成されている。第二縁部には、舌部の第二側辺２２１４に重畳する第二重畳部２２５が形成されている。【選択図】図４
2018128662.tif 000002
【特許請求の範囲】
【請求項１】
前面に画像を表示する表示パネルと、
前記表示パネルの背面側に配置された下フレームと、
前記下フレームにおける前面に貼付された反射シートと、を備え、
前記下フレームは、前記表示パネルと平行な矩形状の平坦部と、前記平坦部の外縁から立ち上がる側壁部とを備え、
前記側壁部は、前記平坦部の一辺に平行に延設する第一壁部と、前記平坦部の前記一辺とともに角をなす他の辺に平行に延設し、前記第一壁部と連続する第二壁部と、を備え、
前記反射シートは、
前記平坦部に重畳する本体部と、
前記本体部に対して屈折した状態で、前記側壁部に重畳する縁部とを備え、
前記縁部は、前記第一壁部及び前記第二壁部に重畳する第一縁部と、前記第二壁部に重畳する第二縁部とを備え、
前記第一縁部は、前記第一壁部に重畳する主要部と、前記主要部に連続した舌部であって、前記第一壁部と前記第二壁部との境界線を基点に折られた際に、前記第二壁部に重なる舌部とを備え、
前記本体部には、前記舌部における当該本体部側の第一側辺に重畳する第一重畳部が形成され、
前記第二縁部には、前記舌部における当該第二縁部側の第二側辺に重畳する第二重畳部が形成されている
画像表示装置。
【請求項２】
前記反射シートの全体を平面状に展開すると、
前記舌部と、前記第一重畳部とが線状の第一切れ目で分断されており、
前記舌部と、前記第二重畳部とが線状の第二切れ目で分断されている
請求項１に記載の画像表示装置。
【請求項３】
前記第二切れ目は、前記第一重畳部と前記第二重畳部とを分断するように、前記本体部まで連続している
請求項２に記載の画像表示装置。
【発明の詳細な説明】
【技術分野】
【０００１】
本開示は、液晶セル等の表示パネルを備える画像表示装置に関する。
【背景技術】
【０００２】
例えば、液晶ディスプレイ装置などの画像表示装置においては、液晶モジュールの背面側で発光する光源ユニットと、この光源ユニットからの光を液晶モジュールに向けて反射する反射シートとが備えられている（例えば特許文献１参照）。
【先行技術文献】
【特許文献】
【０００３】
【特許文献１】特開２０１４−１４９５３０号公報
【発明の概要】
【発明が解決しようとする課題】
【０００４】
本開示は、反射シートを起因とした輝度ムラを抑制することのできる画像表示装置を提供する。
【課題を解決するための手段】
【０００５】
本開示における画像表示装置は、前面に画像を表示する表示パネルと、表示パネルの背面側に配置された下フレームと、下フレームにおける前面に貼付された反射シートと、を備え、下フレームは、表示パネルと平行な矩形状の平坦部と、平坦部の外縁から立ち上がる側壁部とを備え、側壁部は、平坦部の一辺に平行に延設する第一壁部と、平坦部の一辺とともに角をなす他の辺に平行に延設し、第一壁部と連続する第二壁部と、を備え、反射シートは、平坦部に重畳する本体部と、本体部に対して屈折した状態で、側壁部に重畳する縁部とを備え、縁部は、第一壁部及び第二壁部に重畳する第一縁部と、第二壁部に重畳する第二縁部とを備え、第一縁部は、第一壁部に重畳する主要部と、主要部に連続した舌部であって、第一壁部と第二壁部との境界線を基点に折られた際に、第二壁部に重なる舌部とを備え、本体部には、舌部における当該本体部側の第一側辺に重畳する第一重畳部が形成され、第二縁部には、舌部における当該第二縁部側の第二側辺に重畳する重畳部が形成されている。
【発明の効果】
【０００６】
本開示における画像表示装置によれば、反射シートを起因とした輝度ムラを抑制することができる。
【図面の簡単な説明】
【０００７】
【図１】図１は、実施の形態に係る画像表示装置の外観斜視図である。
【図２】図２は、実施の形態に係る液晶モジュールの分解斜視図である。
【図３】図３は、実施の形態に係る下フレーム及び反射シートの一部の概略構成を示す斜視図である。
【図４】図４は、実施の形態に係る反射シートを下フレームに貼り付けた際の状態を示す部分平面図である。
【図５】図５は、図４におけるＶ−Ｖ線を含む切断面を見た断面図である。
【図６】図６は、実施の形態に係る反射シートを平面状に展開した状態を示す部分平面図である。
【図７】図７は、従来の反射シートを下フレームに貼り付けた際の状態を示す部分平面図である。
【図８】図８は、図７におけるＶＩＩＩ−ＶＩＩＩ線を含む切断面を見た断面図である。
【図９】図９は、従来の反射シートを展開した状態を示す部分平面図である。
【発明を実施するための形態】
【０００８】
本願発明者は、従来の画像表示装置に関し、以下の問題が生じることを見出した。従来の液晶テレビ等の画像表示装置では、例えば液晶パネルである表示パネルと、表示パネルの背面側に配置された下フレームの間に、反射シート及びＬＥＤシートが配置されている。反射シートには、複数の孔が形成されており、この複数の孔のそれぞれから、ＬＥＤシートの複数のＬＥＤのそれぞれが露出している。各ＬＥＤからの光は、反射シートによって反射され、前面側に向けて出射する。
【０００９】
以下、従来の反射シートと下フレームとの位置関係について説明する。
【００１０】
図７は、従来の反射シートを下フレームに貼り付けた際の状態を示す部分平面図である。図８は、図７におけるＶＩＩＩ−ＶＩＩＩ線を含む切断面を見た断面図である。図９は、従来の反射シートを展開した状態を示す部分平面図である。なお、これらの図においては、ＬＥＤシートの図示は省略している。
【００１１】
下フレーム５００は、図示しない表示パネルと平行な矩形状の平坦部５１０と、平坦部５１０の外縁から立ち上がる側壁部５２０とを備えている。平坦部５１０上には、図示しないＬＥＤシートが設置されている。
【００１２】
側壁部５２０は、第一壁部５２１と第二壁部５２２とを備えている。第一壁部５２１は、平坦部５１０の一辺５１１に平行に延設している。第二壁部５２２は、平坦部５１０の一辺５１１とともに角をなす他の辺５１２に平行に延設し、第一壁部５２１と連続している。第一壁部５２１と第二壁部５２２との境界部分が、下フレーム５００の一つの角部５３０を形成している。
【００１３】
このように下フレーム５００は立体的な形状となっているために、反射シート６００においても下フレーム５００の立体形状に対応するように貼り付ける必要がある。
【００１４】
具体的には、反射シート６００は、平坦部５１０に重畳する本体部６１０と、本体部６１０に対して屈折した状態で、側壁部５２０に重畳する縁部６２０とを備えている。縁部６２０は、第一壁部５２１に重畳する第一縁部６２１と、第二壁部５２２に重畳する第二縁部６２２とを備えている。第一縁部６２１には、第一壁部５２１と第二壁部５２２との境界線５２３を基点に折られた際に、第二壁部５２２に重なる舌部６２３が形成されている。
【００１５】
図７及び図８に示すように、舌部６２３を第二壁部５２２に貼り付ける場合には、舌部６２３を境界線５２３で折ることで、舌部６２３と本体部６１０との間の隙間Ｓ１を小さくするとともに、舌部６２３と第二縁部６２２との間の隙間Ｓ２を小さくする必要がある。これらの隙間Ｓ１、Ｓ２があると、下フレーム５００が露わになってしまうために、当該部分において輝度ムラが生じてしまう。しかしながら、これらの隙間Ｓ１、Ｓ２が生じないように、反射シート６００を下フレーム５００に貼り付ける作業は、難易度が高く、製造効率の低下を招いているのが実状である。
【００１６】
また、隙間Ｓ１、Ｓ２が生じた場合においては、隙間Ｓ１、Ｓ２を覆うように別の反射シートを貼り付けて補修することで、輝度ムラを抑制することも考えられる。しかし、補修による部品点数及び工程数が増加してしまい、この場合においても製造効率の低下を招いてしまう。
【００１７】
図９では、反射シート６００を下フレーム５００に貼り付ける前の状態を示している。反射シート６００には、貼り付け時に折られる箇所に、例えばミシン目からなる折り目ｆ１１、ｆ１２、ｆ１３が形成されている。折り目ｆ１１は、平坦部５１０の一辺５１１に対応している。折り目ｆ１２は、平坦部５１０の他の辺５１２に対応している。折り目ｆ１３は、境界線５２３に対応している。これらの折り目ｆ１１、ｆ１２、ｆ１３で反射シート６００が折られた場合を想定して、当該反射シート６００には、隙間Ｓ１、Ｓ２が極力小さくなる形状で切込みＣ１０が予め形成されている。しかしながら、反射シート６００に切込みＣ１０を形成すると、どうしても切り屑が生じてしまう。切り屑の発生は、材料が無駄となるだけでなく、廃棄する必要もあり、製造効率の低下を招いてしまう。
【００１８】
本開示は、このような知見に基づいてなされたものであり、本願発明者が鋭意検討した結果、製造効率を高めつつ、反射シートを起因とした輝度ムラを抑制することができる画像表示装置の構造についての着想を得た。
【００１９】
以下、適宜図面を参照しながら実施の形態を説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２０】
なお、本願発明者は、当業者が本開示を十分に理解するために添付図面及び以下の説明を提供するのであって、これらによって特許請求の範囲に記載の主題を限定することを意図するものではない。
【００２１】
また、以下の実施の形態において、説明の便宜上、上下方向をＹ軸方向と一致させ、前後方向をＺ軸方向と一致させ、左右方向をＸ軸方向と一致させているが、これら対応付けは、本開示に係る画像表示装置の製造時または使用時における姿勢を限定するものではない。また、以下の説明において、例えば、Ｘ軸プラス側とは、Ｘ軸の矢印方向側を示し、Ｘ軸マイナス側とは、Ｘ軸プラス側とは反対側を示す。Ｙ軸方向及びＺ軸方向についても同様である。
【００２２】
以下、図１〜図６を用いて実施の形態を説明する。まず、図１及び図２を用いて、実施の形態に係る画像表示装置の構成概要について説明する。
【００２３】
［１−１．画像表示装置の構成概要］
図１は、実施の形態に係る画像表示装置１０の外観斜視図である。図２は、実施の形態に係る液晶モジュール１００の分解斜視図である。
【００２４】
図１に示すように、本実施の形態に係る画像表示装置１０は、液晶モジュール１００と、バックカバー１０３と、液晶モジュール１００を支持するスタンド２５０とを備える。
【００２５】
液晶モジュール１００は、静止画及び動画を表示する装置であり、表示パネル１０２と、表示パネル１０２の周縁に沿って配置されたベゼル１２０とを備える。表示パネル１０２は、本実施の形態では、いわゆる液晶セルであり、複数のガラス板の間に液晶が封入された素子である。表示パネル１０２は、液晶モジュール１００に入力された映像信号に基づいて制御され、映像を表示する。なお、液晶セルである表示パネル１０２を備える液晶モジュール１００は、例えば、液晶モジュール等と呼ばれる場合がある。
【００２６】
ベゼル１２０は、図１に示すように、表示パネル１０２の前面側に位置する前面部１２１を有し、かつ、板状の下フレーム３００（図２参照）に固定される部材である。つまり、ベゼル１２０は、表示パネル１０２等の要素の外周部分を保護し、かつ、前面部１２１によって額縁を形成する部材である。本実施の形態では、ベゼル１２０の素材として、例えばポリカーボネート（ＰＣ）等の樹脂が採用されている。ベゼル１２０は、表示パネル１０２から下フレーム３００までの複数の部品を、下フレーム３００とともに挟持する。
【００２７】
バックカバー１０３は、液晶モジュール１００の背面を覆う部材であり、ベゼル１２０と同じくＰＣ等の樹脂によって構成されている。なお、バックカバー１０３は、液晶モジュール１００の一部として扱われてもよい。
【００２８】
上記構成を有する液晶モジュール１００はさらに、図２に示すように、モールドフレーム１３０と、２〜３枚の光学シートを含む光学シートユニット１０５と、拡散板１０６と、輝度均一板１０７と、反射シート２００と、ＬＥＤシート１０９と、中継シート１１０と、下フレーム３００と、サポートピン１１２とを備える。
【００２９】
モールドフレーム１３０は、表示パネル１０２を支持し、かつ、光学シートユニット１０５からＬＥＤシート１０９及び中継シート１１０までの複数の部品（いわゆるバックライト）を下フレーム３００とともに挟持する。
【００３０】
光学シートユニット１０５は、２〜３種類の光学特性の異なるシートを重ねることで構成されている。光学シートユニット１０５は、例えば、縦方向のプリズムシート、横方向のプリズムシート、及び、拡散シートなどを含む。
【００３１】
拡散板１０６は、ＬＥＤシート１０９上に配置された複数のＬＥＤからの光を拡散する。輝度均一板１０７は、ＬＥＤシート１０９上に配置された複数のＬＥＤからの光を均一化する。輝度均一板１０７は、径の大きさの異なる複数の孔が形成された部材である。輝度均一板１０７は、例えばフラッター（登録商標）と呼ばれる場合もある。具体的には輝度均一板１０７において、複数のＬＥＤそれぞれの直上には極めて小さい径の孔が形成され、当該ＬＥＤからの距離が離れるにしたがって、径が大きな孔が形成されている。輝度均一板１０７は、上記の構成により、各ＬＥＤからの光の配向特性をなだらかにする。
【００３２】
拡散板１０６は、輝度均一板１０７によって配向特性がなだらかにされた各ＬＥＤからの光を、さらに拡散するので、拡散板１０６からは輝度ムラの少ない光が出射することになる。
【００３３】
反射シート２００には、ＬＥＤシート１０９に配置された複数のＬＥＤに対応する部分に孔２９０（図３等参照）が設けられている。ＬＥＤシート１０９は、複数のＬＥＤが配置されたフレキシブルプリント基板（ＦＰＣ）である。このＦＰＣの２つの主面のうち、複数のＬＥＤが配置された一方の面に反射層が形成されている。また、ＦＰＣの２つの主面のうち、他方の面には接着層が形成されている。中継シート１１０は、複数のＬＥＤへ電力及び制御信号などを送るための電気経路が形成されたＦＰＣである。中継シート１１０にも、ＬＥＤシート１０９と同様に、反射層が形成されている。
【００３４】
下フレーム３００は薄い板金で形成され、ＬＥＤシート１０９及び中継シート１１０を支持する。下フレーム３００は、ベースプレートとも称される場合もある。具体的には、下フレーム３００に、ＬＥＤシート１０９及び中継シート１１０が取り付けられた後に、反射シート２００の複数の孔２９０のそれぞれからＬＥＤが露出するように、下フレーム３００に反射シート２００が貼付される。各ＬＥＤからの光は、ＦＰＣ上に形成された反射層及び反射シート２００によって反射され、Ｚ軸プラス側へ出射する。
【００３５】
複数のサポートピン１１２のそれぞれは、反射シート２００の上から、下フレーム３００とともに反射シート２００を挟持するように取り付けられる。サポートピン１１２は、輝度均一板１０７に設けられた孔に挿入される先端部と、輝度均一板１０７を支持するフランジ部を有する。
【００３６】
輝度均一板１０７には、サポートピン１１２の先端部が挿入される孔が複数設けられており、各孔にサポートピン１１２の先端部が挿入され、これらサポートピン１１２のフランジ部で輝度均一板１０７に支持された状態で、下フレーム３００に取り付けられる。
【００３７】
拡散板１０６は、サポートピン１１２の頂点部（先端部の先）で支持されるとともに、拡散板１０６の周縁部が下フレーム３００によって支持される。
【００３８】
画像表示装置１０を設置したときの上部となる、下フレーム３００の１辺には、光学シートユニット１０５を吊り下げる切り起こしが形成されている。光学シートユニット１０５は、上記切り起こしに引っ掛けるための矩形の孔を有するタブが設けられている。
【００３９】
上記構成を有する液晶モジュール１００において、立体形状である下フレーム３００に対して、反射シート２００は隙間なく貼り付けられている。これにより、液晶モジュール１００における輝度ムラが抑えられている。
【００４０】
［１−２．下フレーム及び反射シートの構成］
以下、実施の形態に係る下フレーム３００と、反射シート２００とについて、詳細に説明する。
【００４１】
図３は、実施の形態に係る下フレーム３００及び反射シート２００の一部の概略構成を示す斜視図である。図４は、実施の形態に係る反射シート２００を下フレーム３００に貼り付けた際の状態を示す部分平面図である。図５は、図４におけるＶ−Ｖ線を含む切断面を見た断面図である。なお、本実施の形態では、略矩形状の下フレーム３００における一つの角部の周辺に注目して説明する。また、図４及び図５においては、ＬＥＤシート１０９及び中継シート１１０の図示は省略している。
【００４２】
図３〜図５に示すように、下フレーム３００は、表示パネル１０２と平行な矩形状の平坦部３１０と、平坦部３１０の外縁から立ち上がる側壁部３２０とを備えている。平坦部３１０の前面には、ＬＥＤシート１０９及び中継シート１１０が取り付けられている。これにより、平坦部３１０の前面上には、複数のＬＥＤが二次元状に配列されている。
【００４３】
側壁部３２０は、平坦部３１０に対して所定の角度で傾いた状態で、立ち上がっている。側壁部３２０は、平坦部３１０の全周にわたって設けられている。つまり、平坦部３１０の四辺に対して側壁部３２０が設けられている。この側壁部３２０のうち、平坦部３１０の一辺３１１に平行に延設する壁部を第一壁部３２１とする。また、側壁部３２０のうち、平坦部３１０の一辺３１１とともに角をなす他の辺３１２に平行に延設し、第一壁部３２１と連続する壁部を第二壁部３２２とする。第一壁部３２１と第二壁部３２２との境界部分が下フレーム３００の一つの角部３３０をなしている。
【００４４】
なお、ここでは、下フレーム３００の一つの角部３３０の周辺に注目して説明する。しかし、下フレーム３００の残りの角部の周辺においても同様の構成とする。つまり、下フレーム３００の残りの角部をなす一対の壁部のうち、一方の壁部が第一壁部に相当し、他方の壁部が第二壁部に相当する。
【００４５】
反射シート２００は、平坦部３１０に重畳する本体部２１０と、本体部２１０に対して屈折した状態で、側壁部３２０に重畳する縁部２２０とを備えている。
【００４６】
本体部２１０は、平坦部３１０の外形に対応するように矩形状に形成されており、平坦部３１０の全体に対して重畳する。また、本体部２１０には、ＬＥＤシート１０９に備わる複数のＬＥＤのそれぞれを個別に露出させる矩形状の孔２９０が複数形成されている。複数の孔２９０のそれぞれは、複数のＬＥＤのそれぞれに対応した位置に形成されている。
【００４７】
縁部２２０は、第一壁部３２１に重畳する第一縁部２２１と、第二壁部３２２に重畳する第二縁部２２２とを備えている。
【００４８】
第一縁部２２１は、主要部２２１１と、舌部２２３とを備えている。
【００４９】
主要部２２１１は、第一壁部３２１に重畳する部位である。具体的には、主要部２２１１は、第一壁部３２１の外形に対応する形状に形成されている。このため、主要部２２１１は、第一壁部３２１と同様に一辺３１１と平行な長尺な形状となっている。
【００５０】
舌部２２３は、主要部２２１１における角部３３０側の一端部に連続して形成されている。具体的には舌部２２３は、主要部２２１１の一端部から第二壁部３２２に向けて延設している。舌部２２３は、第一壁部３２１と第二壁部３２２との境界線３２３を基点に折られた際に、第二壁部３２２に重なっている。第二壁部３２２は、第二壁部３２２における角部３３０側の端部部分の外形に対応した形状に形成されている。舌部２２３には、平坦部３１０の他の辺３１２に沿う第一側辺２２１３と、第一側辺２２１３に対して直交する第二側辺２２１４とが設けられている。
【００５１】
第二縁部２２２は、第二壁部３２２における舌部２２３が重ならない部分の外形に概ね対応した形状に形成されている。このため、第二縁部２２２は、第二壁部３２２と同様に他の辺３１２に平行な長尺な形状となっている。
【００５２】
本体部２１０と、第二縁部２２２とには、それぞれ舌部２２３に重畳する第一重畳部２１５と、第二重畳部２２５とが形成されている。
【００５３】
第一重畳部２１５は、本体部２１０の角部近傍に形成されており、第二壁部３２２に重畳している。具体的には、第一重畳部２１５は、本体部２１０の角部から舌部２２３に向けて突出している。第一重畳部２１５は、本体部２１０の角部側の幅が狭く、当該角部から離れるほど幅が広くなる三角形状に形成されている。第一重畳部２１５は、舌部２２３の第一側辺２２１３の全体に対して重畳している。
【００５４】
第二重畳部２２５は、第二縁部２２２における舌部２２３側の端部から舌部２２３に向けて突出している。第二重畳部２２５は、本体部２１０側の幅が狭く、当該本体部２１０から離れるほど幅が広くなる三角形状に形成されている。第二重畳部２２５は、舌部２２３の第二側辺２２１４の全体に対して重畳している。
【００５５】
このように、舌部２２３の第一側辺２２１３に第一重畳部２１５が重畳するとともに、舌部２２３の第二側辺２２１４に第二重畳部２２５が重畳しているので、従来のような隙間Ｓ１、Ｓ２（図７等参照）の発生を抑制することができる。
【００５６】
ここで、第一重畳部２１５及び第二重畳部２２５は、第二壁部３２２に重畳しており、本体部２１０内には配置されていない。つまり、本体部２１０においては、全体的に平坦性が維持されている。本体部２１０には、ＬＥＤを露出させる孔２９０が形成されているために、ＬＥＤに近接する本体部２１０の平坦性が乱れていると、反射光も乱れやすい。前述したように、本体部２１０の平坦性が全体的に維持されていると、反射光の乱れも抑制することが可能である。
【００５７】
［１−３．貼付け前の反射シートの構成］
次に、反射シート２００の貼り付け前の状態について説明する。
【００５８】
図６は、実施の形態に係る反射シート２００を平面状に展開した状態を示す部分平面図である。つまり、反射シート２００を下フレーム３００に貼り付ける前の状態を示している。
【００５９】
図６に示すように、反射シート２００には、貼り付け時に折られる箇所に、例えばミシン目からなる折り目ｆ１、ｆ２、ｆ３が形成されている。折り目ｆ１は、平坦部３１０の一辺３１１に対応している。折り目ｆ２は、平坦部３１０の他の辺３１２に対応している。折り目ｆ３は、境界線３２３に対応している。
【００６０】
また、反射シート２００には、第一切れ目２６１と、第二切れ目２６２とが形成されている。図６では、第一切れ目２６１と、第二切れ目２６２とのそれぞれの幅を強調して図示しているが、第一切れ目２６１と、第二切れ目２６２とのそれぞれの幅は小さければ小さいほどよい。
【００６１】
第一切れ目２６１は、舌部２２３と第一重畳部２１５とを分断する直線状の切れ目である。第二切れ目２６２は、舌部２２３と第二重畳部２２５とを分断する直線状の切れ目である。
【００６２】
具体的に説明すると、第二切れ目２６２は、第二重畳部２２５の端縁から本体部２１０まで直線状に連続している。第一切れ目２６１は、第二切れ目２６２の途中から、本体部２１０の角まで直線状に連続している。これによって、第二切れ目２６２は、第二重畳部２２５の一辺の一部と、舌部２２３の第二側辺２２１４と、第一重畳部２１５の一辺とを形成する。一方、第一切れ目２６１は、第二重畳部２２５の一辺の残りの一部と、舌部２２３の第一側辺２２１３と、第一重畳部２１５の他の一辺とを形成する。つまり、第一重畳部２１５と舌部２２３とは第一切れ目２６１を介して近接し、第二重畳部２２５と舌部２２３とは第二切れ目２６２を介して近接する。これにより、従来では、切り屑となっていた部分が、第一重畳部２１５及び第二重畳部２２５として用いられるので、切り屑の発生を削減することができる。
【００６３】
［１−４．反射シートの貼り付け手順］
次に、反射シート２００を下フレーム３００に貼り付ける際の手順について説明する。なお、反射シート２００の貼り付け作業は、作業者が行う場合を例示するが、貼り付け装置で反射シート２００を貼り付けることも可能である。
【００６４】
まず、作業者は、反射シート２００の本体部２１０と、下フレーム３００の平坦部３１０とを位置合わせして、当該平坦部３１０に本体部２１０を貼り付ける。その後、作業者は、下フレーム３００の側壁部３２０に対して、反射シート２００の縁部２２０を貼り付ける。
【００６５】
具体的には、作業者は、反射シート２００の第二縁部２２２を、折り目ｆ２を基点に折り曲げて、第二壁部３２２に貼り付ける。このとき、第二重畳部２２５も第二壁部３２２に貼り付けられる。
【００６６】
また、作業者は、反射シート２００の第一重畳部２１５を、折り目ｆ２を基点に折り曲げて、第二壁部３２２に貼り付ける。ここで、折り目ｆ２を基点にした折り曲げ時においては、第一重畳部２１５と第二重畳部２２５とが第二切れ目２６２によって分断されているので、第一重畳部２１５及び第二縁部２２２のそれぞれを他方に阻害されることなく、折り曲げることができる。これにより、第一重畳部２１５と第二縁部２２２とのそれぞれを綺麗に貼り付けることができる。
【００６７】
次に、作業者は、反射シート２００の第一縁部２２１を、折り目ｆ１を基点に折り曲げて第一壁部３２１に貼り付ける。その後、作業者は、舌部２２３を、折り目ｆ３を基点に折り曲げて第二壁部３２２に貼り付ける。このとき、舌部２２３は、第一重畳部２１５と第二重畳部２２５とのそれぞれに前面側のから重なり、図３〜図５に示す状態となる。
【００６８】
［１−５．効果等］
以上のように、本実施の形態に係る液晶モジュール１００は、前面に画像を表示する表示パネル１０２と、表示パネル１０２の背面側に配置された下フレーム３００と、下フレーム３００における前面に貼付された反射シート２００と、を備えている。下フレーム３００は、表示パネル１０２と平行な矩形状の平坦部３１０と、平坦部３１０の外縁から立ち上がる側壁部３２０とを備えている。側壁部３２０は、平坦部３１０の一辺３１１に平行に延設する第一壁部３２１と、平坦部３１０の一辺３１１とともに角をなす他の辺３１２に平行に延設し、第一壁部３２１と連続する第二壁部３２２と、を備えている。反射シート２００は、平坦部３１０に重畳する本体部２１０と、本体部２１０に対して屈折した状態で、側壁部３２０に重畳する縁部２２０とを備えている。縁部２２０は、第一壁部３２１及び第二壁部３２２に重畳する第一縁部２２１と、第二壁部３２２に重畳する第二縁部２２２とを備えている。第一縁部２２１は、第一壁部３２１に重畳する主要部２２１１と、主要部２２１１に連続した舌部２２３であって、第一壁部３２１と第二壁部３２２との境界線３２３を基点に折られた際に、第二壁部３２２に重なる舌部２２３とを備えている。本体部２１０には、舌部２２３における当該本体部２１０側の第一側辺２２１３に重畳する第一重畳部２１５が形成されている。第二縁部２２２には、舌部２２３における当該第二縁部２２２側の第二側辺２２１４に重畳する第二重畳部２２５が形成されている。
【００６９】
この構成によれば、舌部２２３の第一側辺２２１３に第一重畳部２１５が重畳するとともに、舌部２２３の第二側辺２２１４に第二重畳部２２５が重畳しているので、従来のような隙間Ｓ１、Ｓ２（図７等参照）の発生を抑制することができ、反射シート２００を起因とした輝度ムラを抑制することができる。また、隙間Ｓ１、Ｓ２の発生を抑制できれば、別の反射部材で隙間Ｓ１、Ｓ２を覆う必要もなくなるので、製造効率の低下を抑えることが可能である。
【００７０】
これらのことにより、製造効率を高めつつ、反射シート２００を起因とした輝度ムラを抑制することができる。
【００７１】
また、反射シート２００の全体を平面状に展開すると、舌部２２３と、第一重畳部２１５とが線状の第一切れ目２６１で分断されており、舌部２２３と、第二重畳部２２５とが線状の第二切れ目２６２で分断されている。
【００７２】
この構成によれば、第一重畳部２１５と舌部２２３とは第一切れ目２６１を介して近接し、第二重畳部２２５と舌部２２３とは第二切れ目２６２を介して近接する。これにより、従来では、切り屑となっていた部分が、第一重畳部２１５及び第二重畳部２２５として用いられるので、切り屑の発生を削減することができる。したがって、無駄な材料の発生や、切り屑の廃棄量を低減することができ、より製造効率を高めることができる。
【００７３】
また、第一重畳部２１５と舌部２２３とが第一切れ目２６１を介して近接し、第二重畳部２２５と舌部２２３とが第二切れ目２６２を介して近接しているので、貼り付け時に、舌部２２３を第一重畳部２１５及び第二重畳部２２５に重ねやすい。
【００７４】
また、第二切れ目２６２は、第一重畳部２１５と第二重畳部２２５とを分断するように、本体部２１０まで連続している。
【００７５】
この構成によれば、第一重畳部２１５と第二重畳部２２５とが第二切れ目２６２によって分断されているので、第一重畳部２１５及び第二縁部２２２のそれぞれを他方に阻害されることなく、折り曲げることができる。これにより、第一重畳部２１５と第二縁部２２２とのそれぞれを綺麗に貼り付けることができる。
【００７６】
［２．他の実施の形態］
以上のように、本出願において開示する技術の例示として、実施の形態を説明した。しかしながら、本開示における技術は、これらに限定されず、適宜、変更、置き換え、付加、省略などを行った実施の形態にも適用可能である。また、上記実施の形態で説明した各構成要素を組み合わせて、新たな実施の形態とすることも可能である。そこで、以下、他の実施の形態を例示する。
【００７７】
例えば、導光板の端面から入射される光を、導光板の前面から表示パネル１０２に向けて放出する、エッジライト方式のバックライトユニットが、液晶モジュール１００に配置されてもよい。
【００７８】
また、本実施の形態において、液晶モジュール１００は、画像表示装置１０において静止画及び動画を表示する装置として備えられるとした。しかしながら、液晶モジュール１００の構成が、例えば、パーソナルコンピュータ用のモニタディスプレイ、または、タブレット端末もしくはスマートフォン等の携帯端末等に適用されてもよい。
【００７９】
また、本実施の形態では、ベゼル１２０及びモールドフレーム１３０のそれぞれには、ＰＣ等の樹脂を採用している。しかしながら、ベゼル１２０及びモールドフレーム１３０のそれぞれの材料にはＳＵＳ等の金属を採用してもよい。モールドフレーム１３０の四辺部分（直線的な部分）に金属を採用した場合は、四隅部分は樹脂で形成した方がよい。
【００８０】
また、上記実施の形態では、第一切れ目２６１と、第二切れ目２６２とがそれぞれ直線状である場合を例示したが、第一切れ目と、第二切れ目とは曲線状であってもよい。
【００８１】
また、上記実施の形態では、第二切れ目２６２が第一重畳部２１５と、第二重畳部２２５とを分断している場合を例示したが、第二切れ目は、第一重畳部と第二重畳部とを分断していなくてもよい。
【００８２】
以上のように、本開示における技術の例示として、実施の形態を説明した。そのために、添付図面及び詳細な説明を提供した。
【００８３】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８４】
また、上述の実施の形態は、本開示における技術を例示するためのものであるから、特許請求の範囲またはその均等の範囲において種々の変更、置き換え、付加、省略などを行うことができる。
【産業上の利用可能性】
【００８５】
本開示は、例えば反射シートを備えた画像表示装置に適用可能である。具体的には、テレビジョン受像機、モニタディスプレイ、デジタルサイネージ、タブレット端末、スマートフォン、または、テーブル型表示装置などに、本開示は適用可能である。
【符号の説明】
【００８６】
１０  画像表示装置
１００  液晶モジュール
１０２  表示パネル（液晶セル）
１０３  バックカバー
１０５  光学シートユニット
１０６  拡散板
１０７  輝度均一板
１０９  ＬＥＤシート
１１０  中継シート
１１２  サポートピン
１２０  ベゼル
１２１  前面部
１３０  モールドフレーム
２００、６００  反射シート
２１０、６１０  本体部
２１５  第一重畳部
２２０、６２０  縁部
２２１、６２１  第一縁部
２２２、６２２  第二縁部
２２３、６２３  舌部
２２５  第二重畳部
２５０  スタンド
２６１  第一切れ目
２６２  第二切れ目
２９０  孔
３００、５００  下フレーム
３１０、５１０  平坦部
３１１、５１１  一辺
３１２、５１２  他の辺
３２０、５２０  側壁部
３２１、５２１  第一壁部
３２２、５２２  第二壁部
３２３、５２３  境界線
３３０、５３０  角部
２２１１  主要部
２２１３  第一側辺
２２１４  第二側辺
Ｃ１０  切込み
ｆ１、ｆ２、ｆ３、ｆ１１、ｆ１２、ｆ１３  折り目
Ｓ１、Ｓ２  隙間
【図１】
2018128662.tif 000003
【図２】
2018128662.tif 000004
【図３】
2018128662.tif 000005
【図４】
2018128662.tif 000006
【図５】
2018128662.tif 000007
【図６】
2018128662.tif 000008
【図７】
2018128662.tif 000009
【図８】
2018128662.tif 000010
【図９】
2018128662.tif 000011